(57)【要約】【課題】部品点数を増加させることなくスイッチング損失を抑制することができるドライブ回路、冷凍サイクル、および家電を提供する。【解決手段】モータ３Ａの駆動を制御するためのドライブ回路１００が提供される。ドライブ回路１００は、スイッチング素子として第１のＭＯＳ−ＦＥＴ１５１，１５２，１５３を含む上アームと、スイッチング素子として第２のＭＯＳ−ＦＥＴを含む下アーム１５４，１５５，１５６とを備える。前記第２のＭＯＳ−ＦＥＴ１５４，１５５，１５６の少なくともいずれかの定格電流容量が、対応する少なくともいずれかの前記第１のＭＯＳ−ＦＥＴ１５１，１５２，１５３の定格電流容量よりも大きい。【選択図】図２
2017060210.tif 000002
【特許請求の範囲】
【請求項１】
モータの駆動を制御するためのドライブ回路であって、
スイッチング素子として第１のＭＯＳ−ＦＥＴを含む上アームと、
スイッチング素子として第２のＭＯＳ−ＦＥＴを含む下アームとを備え、
前記第２のＭＯＳ−ＦＥＴの定格電流容量が、前記第１のＭＯＳ−ＦＥＴの定格電流容量よりも大きい、ドライブ回路。
【請求項２】
前記第２のＭＯＳ−ＦＥＴの素子の面積が、前記第１のＭＯＳ−ＦＥＴの素子の面積よりも広い、請求項１に記載のドライブ回路。
【請求項３】
前記ドライブ回路をＰＷＭ制御するための制御部をさらに備え、
前記制御部は、前記下アームのスイッチング素子のＰＷＭデューティーが第１の所定値以上である場合に前記下アームのスイッチング素子をＯＮ状態で維持し、前記下アームのスイッチング素子のＰＷＭデューティーが前記第１の所定値よりも小さい第２の所定値以下である場合に前記下アームのスイッチング素子をＯＦＦ状態で維持する、請求項１または２に記載のドライブ回路。
【請求項４】
請求項１〜３のいずれか１項に記載のドライブ回路と、前記ドライブ回路によって駆動される前記モータを含む圧縮機とを備える、冷凍サイクル。
【請求項５】
請求項４に記載の冷凍サイクルを備えた家電。
【発明の詳細な説明】
【技術分野】
【０００１】
本発明は、インバータ回路を用いてモータの駆動制御を行うドライブ回路、当該モータと当該ドライブ回路とを含む冷凍サイクル、当該冷凍サイクルを含む冷蔵庫や空気調和機などの家電、に関する。
【背景技術】
【０００２】
負荷としてモータを搭載した冷蔵庫や空気調和機や掃除機などの家電、ＡＶ機器、自動車、住宅用設備、その他の電気機器に関し、直流電力を三相交流電力に変換する三相インバータ回路の損失を改善する様々な技術が提案されている。特に、インバータ回路内の６つのスイッチング素子には、定常損失の小さいＭＯＳ−ＦＥＴ（Metal-Oxide-Semiconductor Field-Effect Transistor）を使用する技術が提案されている。
【０００３】
しかしながら、定常損失の小さいＭＯＳ−ＦＥＴは、逆回復電流が大きいという特性がある。そして、通常、下アーム側スイッチング素子の還流ダイオードが還流モード中に、上アーム側スイッチング素子がスイッチング動作を行うことによって、それまで還流ダイオードの順方向とは逆に電圧がバイアスされる。このため、還流ダイオードに逆回復電流が発生し、上下アームに短絡電流が発生してしまうことがあった。
【０００４】
特許第４３００２０９号明細書（特許文献１）には、逆回復電流を抑制するためのインバータ装置が記載されている。特許第４３００２０９号明細書（特許文献１）によると、インバータ回路内の上下アームの素子の内、何れか一方にＭＯＳＦＥＴを配置し、ＭＯＳＦＥＴの寄生ダイオードに還流電流が流れているとき、対となる他方の素子がオンする前に、ＭＯＳＦＥＴを駆動する電圧よりも低い逆電圧を還流ダイオードに印加して、逆回復電流を抑制する。
【先行技術文献】
【特許文献】
【０００５】
【特許文献１】特許第４３００２０９号明細書
【発明の概要】
【発明が解決しようとする課題】
【０００６】
しかしながら、特許第４３００２０９号明細書（特許文献１）のインバータ装置にあっては、逆電圧印加回路を実現するために、半導体素子やコンデンサ及び抵抗器等の回路部品の点数が多くなってしまう。また、逆電圧印加回路を動作させるための制御が複雑になってしまう。
【０００７】
本発明は、このような事情に鑑みてなされたものであり、部品点数を増加させることなくスイッチング損失を抑制することができるドライブ回路、冷凍サイクル、および家電を提供することを目的とする。
【課題を解決するための手段】
【０００８】
この発明のある態様に従うと、モータの駆動を制御するためのドライブ回路が提供される。ドライブ回路は、スイッチング素子として第１のＭＯＳ−ＦＥＴを含む上アームと、スイッチング素子として第２のＭＯＳ−ＦＥＴを含む下アームとを備える。前記第２のＭＯＳ−ＦＥＴの定格電流容量が、前記第１のＭＯＳ−ＦＥＴの定格電流容量よりも大きい。
【０００９】
好ましくは、前記第２のＭＯＳ−ＦＥＴの素子の面積が、前記第１のＭＯＳ−ＦＥＴの素子の面積よりも広い。
【００１０】
好ましくは、前記ドライブ回路は、前記ドライブ回路をＰＷＭ制御するための制御部をさらに備える。前記制御部は、前記下アームのスイッチング素子のＰＷＭデューティーが第１の所定値以上である場合に前記下アームのスイッチング素子をＯＮ状態で維持し、前記下アームのスイッチング素子のＰＷＭデューティーが前記第１の所定値よりも小さい第２の所定値以下である場合に前記下アームのスイッチング素子をＯＦＦ状態で維持する。
【００１１】
さらに、上記のドライブ回路と、前記ドライブ回路によって駆動される前記モータを含む圧縮機とを備える、冷凍サイクルが提供される。
【００１２】
さらに、上記の冷凍サイクルを備えた家電が提供される。
【発明の効果】
【００１３】
以上のように、この発明によれば、部品点数を増加させることなくスイッチング損失を抑制することができるドライブ回路、冷凍サイクル、および家電を提供することができる。
【図面の簡単な説明】
【００１４】
【図１】本実施の形態にかかる冷蔵庫１の機能構成を示すブロック図である。
【図２】本実施の形態にかかるモータ制御用のドライブ回路１００を示す機能ブロック図である。
【図３】本実施の形態にかかる通常のスイッチング制御を示すイメージ図である。
【図４】本実施の形態にかかる下アームのＯＮの時間割合が高い場合のスイッチング制御を示すイメージ図である。
【図５】本実施の形態にかかる下アームのＯＮの時間割合が低い場合のスイッチング制御を示すイメージ図である。
【図６】本実施の形態にかかるスイッチング制御を示すフローチャートである。
【発明を実施するための形態】
【００１５】
以下、図面を参照しつつ、本発明の実施の形態について説明する。以下の説明では、同一の部品には同一の符号を付してある。それらの名称および機能も同じである。したがって、それらについての詳細な説明は繰り返さない。
［第１の実施の形態］
＜冷蔵庫１の全体構成＞
【００１６】
まず、図１を参照して、本実施の形態に係る家電としての冷蔵庫１の全体構成について説明する。なお、図１は、本実施の形態にかかる冷蔵庫１の機能構成を示すブロック図である。
【００１７】
本実施の形態にかかる冷蔵庫１は、主に、冷凍サイクル１０を含む。冷凍サイクル１０は、主に、圧縮機３、凝縮器４、減圧器５、蒸発器６、圧縮機３のモータ３Ａ（図２を参照。）の駆動を制御するドライブ回路１００を含む。また、冷凍サイクル１０には、凝縮器４にて生じる冷気を冷蔵庫１内で循環させるファン７が設けられている。そして、冷凍サイクル１０は、それらの各部を制御するための制御部１１０を含む。
【００１８】
なお、「ドライブ回路１００」は、後述するスイッチング素子やゲート回路だけでなく、それらを制御する制御部１１０を含む概念であってもよい。
【００１９】
より詳細には、圧縮機３は、商用電源１６０からモータ制御用のドライブ回路１００を介して電圧が印加されるようになっている。圧縮機３のモータ３Ａは、モータ制御用のドライブ回路１００の出力周波数によって駆動制御されるようになっている。
【００２０】
モータ制御用のドライブ回路１００は、商用電源１６０の交流電圧を整流する。ドライブ回路１００は、上記制御部１１０からの制御信号を受け付けて、圧縮機３のモータ３Ａに可変の直流電圧を印加するように構成されている。
【００２１】
制御部１１０は、ＣＰＵ(Central Processing Unit)とメモリとを備える。より詳細には、ＣＰＵが、メモリに格納されているプログラムに従って、後述する各種の処理を実行する。たとえば、制御部１１０のＣＰＵは、庫内温度設定スイッチ１２を介してユーザから入力された庫内設定温度と、庫内温度センサ１３から入力された庫内検出温度と、の差に基づいて、モータ制御用のドライブ回路１００への出力周波数を演算し、演算結果に基づく制御信号をドライブ回路１００に入力する。
【００２２】
より詳細には、庫内設定温度と庫内検出温度との差が大きい場合は、制御部１１０は出力周波数を高く設定し、圧縮機３のモータの駆動力を大きくして設定温度に近づくようにする。一方、庫内設定温度と庫内検出温度との差が小さい場合は、制御部１１０は出力周波数を低く設定し、圧縮機３のモータの駆動力を小さくする。
【００２３】
＜モータ制御用のドライブ回路１００の構成＞
次に、図２を参照しながら、本実施の形態にかかるモータ制御用のドライブ回路１００について説明する。図２は、本実施の形態にかかるモータ制御用のドライブ回路１００を示す機能ブロック図である。
【００２４】
本実施の形態にかかる冷凍サイクル１０では、ステータに複数相（３相）のコイル、ロータに永久磁石を備えた同期モータ３Ａを利用する。モータ３Ａを駆動するために、モータ制御用のドライブ回路１００は、インバータ回路１５０と、コンバータ回路１３０と、コイル１７０と、制御部１１０とから構成されている。
【００２５】
ドライブ回路１００には、交流電源１６０から電力が供給される。コンバータ回路１３０は、交流電源１６０からの交流電圧を直流電圧に変換して、インバータ回路１５０に入力する。インバータ回路１５０は、制御部１１０からの制御信号に基づいて、モータ３Ａを駆動する。
【００２６】
具体的には、コンバータ回路１３０は、複数のダイオードで形成されるダイオード全波整流回路１２０と、母線間の平滑コンデンサ１４０とを含み、平滑コンデンサの容量は、直流電圧波形のリップルを改善できる程度に十分大きい。
【００２７】
なお、コイル１７０は、コンバータ回路１３０に供給される交流電源の力率を改善する目的で設けられたものである。
【００２８】
＜インバータ回路１５０の詳細説明＞
次に、図２を参照しながら、本実施の形態にかかるインバータ回路１５０について詳細に説明する。インバータ回路１５０は、制御部１１０から出力されるパルス幅変調波信号（ＰＷＭ信号）である駆動制御信号に基づいて、コンバータ回路１３０から供給される直流電力を、Ｕ相・Ｖ相・Ｗ相の擬似正弦波である三相交流電力に変換し、この変換された三相交流電力でモータ３Ａの駆動制御を行う。
【００２９】
インバータ回路１５０は、第１〜第６のスイッチング素子１５１，１５２，１５３，１５４，１５５，１５６を備える。各スイッチング素子１５１，１５２，１５３，１５４，１５５，１５６は、電源１６０の正極側に接続された直流母線ＰＬと、負極側に接続された直流母線ＮＬとの間の上下アームに接続されている。
【００３０】
本実施の形態にかかる上下アームには、第１〜第６のスイッチング素子１５１，１５２，１５３，１５４，１５５，１５６として、低消費電力のＭＯＳ−ＦＥＴが接続されている。本実施の形態おいては、上アームに、第１〜第３のスイッチング素子１５１，１５２，１５３が接続され、下アームに、第４〜第６のスイッチング素子１５４，１５５，１５６が接続されている。
【００３１】
上アームの第１のＭＯＳ−ＦＥＴ１５１および下アームの第４のＭＯＳ−ＦＥＴ１５４は、正負の直流母線ＰＬ，ＮＬ間に、第１の接続点Ｎｄ１を介して直列接続されている。それぞれの素子のドレイン−ソース間にはダイオード１７１，１７４が並列接続されている。第１の接続点Ｎｄ１は、モータ３ＡのＵ相動力線に接続されている。
【００３２】
上アームの第２のＭＯＳ−ＦＥＴ１５２および下アームの第５のＭＯＳ−ＦＥＴ１５５は、正負の直流母線ＰＬ，ＮＬ間に、第２の接続点Ｎｄ２を介して直列接続されており、それぞれの素子のドレイン−ソース間にはダイオード１７２、１７５が並列接続されている。第２の接続点Ｎｄ２は、モータ３ＡのＶ相動力線に接続されている。
【００３３】
上アームの第３のＭＯＳ−ＦＥＴ１５３および下アームの第６のＭＯＳ−ＦＥＴ１５６は、正負の直流母線ＰＬ，ＮＬ間に、第３の接続点Ｎｄ３を介して直列接続されており、それぞれの素子のドレイン−ソース間にはダイオード１７３、１７６が並列接続されている。第３の接続点Ｎｄ３は、モータ３ＡのＷ相動力線に接続されている。
【００３４】
また、第１〜第６のスイッチング素子１５１，１５２，１５３，１５４，１５５，１５６のゲートには、それぞれゲート回路１６１，１６２，１６３，１６４，１６５，１６６が接続されている。
【００３５】
制御部１１０は、演算結果である三相交流電圧の指令に従い、第１〜第６のスイッチング素子１５１，１５２，１５３，１５４，１５５，１５６のスイッチング制御（ＰＷＭ制御）を行うための駆動制御信号を、インバータ回路１５０の各ゲート回路１６１，１６２，１６３，１６４，１６５，１６６へ出力する。これによって、制御部１１０は、モータ３Ａの駆動を制御することができる。
【００３６】
そして、特に、本実施の形態においては、下アームの第４のスイッチング素子１５４の定格電流容量が、上アームの第１のスイッチング素子１５１の定格電流容量よりも大きい。たとえば、下アームの第４のスイッチング素子１５４のゲート抵抗またはゲート容量を、上アームの第１のスイッチング素子１５１のゲート抵抗またはゲート容量よりも大きく構成する。これによって、下アームの第４のスイッチング素子１５４が還流モード中に上アームの第１のスイッチング素子１５１がスイッチング動作を行ったときに、本来オフ状態でなければならない下アームの第４のスイッチング素子１５４のゲートがＯＮ状態になりにくくなり、所謂セルフターンオン現象の発生を低減することができる。
【００３７】
同様に、本実施の形態においては、下アームの第５のスイッチング素子１５５の定格電流容量が、上アームの第２のスイッチング素子１５２の定格電流容量よりも大きい。たとえば、下アームの第５のスイッチング素子１５５のゲート抵抗またはゲート容量を、上アームの第２のスイッチング素子１５２のゲート抵抗またはゲート容量よりも大きく構成する。これによって、下アームの第５のスイッチング素子１５５が還流モード中に上アームの第２のスイッチング素子１５２がスイッチング動作を行ったときに、本来オフ状態でなければならない下アームの第５のスイッチング素子１５５のゲートがＯＮ状態になりにくくなり、所謂セルフターンオン現象の発生を低減することができる。
【００３８】
同様に、本実施の形態においては、下アームの第６のスイッチング素子１５６の定格電流容量が、上アームの第３のスイッチング素子１５３の定格電流容量よりも大きい。たとえば、下アームの第６のスイッチング素子１５６のゲート抵抗またはゲート容量を、上アームの第３のスイッチング素子１５３のゲート抵抗またはゲート容量よりも大きく構成する。これによって、下アームの第６のスイッチング素子１５６が還流モード中に上アームの第３のスイッチング素子１５３がスイッチング動作を行ったときに、本来オフ状態でなければならない下アームの第６のスイッチング素子１５６のゲートがＯＮ状態になりにくくなり、所謂セルフターンオン現象の発生を低減することができる。
【００３９】
より詳細には、下アームの第４〜第６のスイッチング素子１５４，１５５，１５６が、上アームの第１〜第３のスイッチング素子１５１，１５２，１５３と同じシリーズあるいは同じ規格あるいは同じ外形のものであって、素子の部分の面積だけが大きいものであることが好ましい。
【００４０】
＜インバータ回路１５０の制御の説明＞
次に、制御部１１０によるインバータ回路の制御について説明する。上述した通り、制御部１１０は、第１〜第６のスイッチング素子１５１，１５２，１５３，１５４，１５５，１５６のスイッチング制御を行うための演算を行う。そして、たとえば、図３に示すように、上アームの第１〜第３のスイッチング素子１５１，１５２，１５３や下アームの第４〜第６のスイッチング素子１５４，１５５，１５６のＯＮ・ＯＦＦを切り替えることによって、モータ３Ａの駆動を制御する。
【００４１】
特に、本実施の形態においては、制御部１１０は、図４（ａ）に示すように、下アームの第４〜第６のスイッチング素子１５４，１５５，１５６のＯＮ時間の割合が第１の所定値以上である場合は、図４（ｂ）に示すように、スイッチング動作を停止し、ＯＮの状態に維持する。これによって、下アームの第４〜第６のスイッチング素子１５４，１５５，１５６が還流モード中に上アームの第１〜３のスイッチング素子１５１，１５２，１５３がスイッチング動作を行ったときに、本来オフ状態でなければならない下アームの第４〜第６のスイッチング素子１５４，１５５，１５６のゲートがＯＮ状態になる可能性を低減し、所謂セルフターンオン現象の発生を低減することができる。
【００４２】
なお、ここでの第１の所定値は、たとえば、スイッチング素子のＯＮ・ＯＦＦ切換時のデッドタイムを除いた時間の９９％である。ただし、第１の所定値は、９５％や、９０％など、他の値であってもよい。
【００４３】
また、本実施の形態においては、制御部１１０は、図５（ａ）に示すように、下アームの第４〜第６のスイッチング素子１５４，１５５，１５６のＯＮ時間の割合が第１の所定値よりも小さい第２の所定値未満である場合は、図５（ｂ）に示すように、スイッチング動作を停止し、ＯＦＦの状態に維持する。これによって、下アームの第４〜第６のスイッチング素子１５４，１５５，１５６が還流モード中に上アームの第１〜３のスイッチング素子１５１，１５２，１５３がスイッチング動作を行ったときに、本来オフ状態でなければならない下アームの第４〜第６のスイッチング素子１５４，１５５，１５６のゲートがＯＮ状態になる可能性を低減し、所謂セルフターンオン現象の発生を低減することができる。
【００４４】
なお、ここでの第２の所定値は、たとえば、スイッチング素子のＯＮ・ＯＦＦ切換時のデッドタイムを除いた時間の１％である。ただし、第２の所定値は、５％や、１０％など、他の値であってもよい。
【００４５】
より詳細には、以下のように、制御部１１０は、動作する。図６を参照して、制御部１１０は、第１〜第６のスイッチング素子１５１，１５２，１５３，１５４，１５５，１５６のスイッチング制御を行うための演算を行う（ステップＳ１０２）。制御部１１０は、下アームの第１〜第３のスイッチング素子１５１，１５２，１５３のＯＮ時間の、全体に対する割合を計算する（ステップＳ１０４）。
【００４６】
制御部１１０は、下アームの第１〜第３のスイッチング素子１５１，１５２，１５３のＯＮ時間の、全体に対する割合が第１の所定値以上であるか否かを判断する（ステップＳ１０６）。下アームの第１〜第３のスイッチング素子１５１，１５２，１５３のＯＮ時間の、全体に対する割合が第１の所定値以上である場合（ステップＳ１０６にてＹＥＳである場合）、制御部１１０は、図４（ｂ）に示したように、下アームの第１〜第３のスイッチング素子１５１，１５２，１５３をＯＮ状態で維持する（ステップＳ１０８）。制御部１１０は、次のスイッチング制御のための演算を行う。
【００４７】
下アームの第１〜第３のスイッチング素子１５１，１５２，１５３のＯＮ時間の、全体に対する割合が第１の所定値未満である場合（ステップＳ１０６にてＮＯである場合）、制御部１１０は、下アームの第１〜第３のスイッチング素子１５１，１５２，１５３のＯＮ時間の、全体に対する割合が第２の所定値以下であるか否かを判断する（ステップＳ１１０）。下アームの第１〜第３のスイッチング素子１５１，１５２，１５３のＯＮ時間の、全体に対する割合が第２の所定値以下である場合（ステップＳ１１０にてＹＥＳである場合）、制御部１１０は、図５（ｂ）に示したように、下アームの第１〜第３のスイッチング素子１５１，１５２，１５３をＯＦＦ状態で維持する（ステップＳ１１２）。制御部１１０は、次のスイッチング制御のための演算を行う。
【００４８】
下アームの第１〜第３のスイッチング素子１５１，１５２，１５３のＯＮ時間の、全体に対する割合が第２の所定値よりも大きい場合（ステップＳ１１０にてＹＥＳである場合）、制御部１１０は、図３に示したように、演算結果の通り第１〜第６のスイッチング素子１５１，１５２，１５３，１５４，１５５，１５６のスイッチング制御を実行する（ステップＳ１２０）。制御部１１０は、次のスイッチング制御のための演算を行う。
【００４９】
上記した実施形態例は本発明をわかりやすく説明するために詳細に説明したものであり、必ずしも説明した全ての構成を備えるものに限定されるものではない。また、ある実施形態例の構成の一部を他の実施形態例の構成に置き換えることが可能であり、また、ある実施形態例の構成に他の実施形態例の構成を加えることも可能である。また、各実施形態例の構成の一部について、他の構成の追加・削除・置換をすることが可能である。
【００５０】
また、上記の各構成、機能、処理部、処理手段等は、それらの一部又は全部を、例えば集積回路で設計する等によりハードウェアで実現してもよい。また、上記の各構成、機能等は、プロセッサがそれぞれの機能を実現するプログラムを解釈し、実行するためのソフトウェアで実現してもよい。各機能を実現するプログラム、テーブル、ファイル等の情報は、メモリや、ハードディスク、ＳＳＤ（Solid State Drive）等の記録装置、又は、ＩＣ（Integrated-circuit）カード、ＳＤ（Secure Digital）カード、光ディスク等の記録媒体に保持することができる。また、本明細書において、時系列的な処理を記述する処理ステップは、記載された順序に沿って時系列的に行われる処理はもちろん、必ずしも時系列的に処理されなくとも、並列的あるいは個別に実行される処理（例えば、並列処理あるいはオブジェクトによる処理）をも含むものである。
【００５１】
また、制御線や情報線は説明上必要と考えられるものを示しており、製品上必ずしもすべての制御線や情報線を示しているとは限らない。実際には殆ど全ての構成が相互に接続されていると考えてもよい。
［第２の実施の形態］
【００５２】
第１の実施の形態においては、１つの制御部１１０が、ドライブ回路１００を含め、冷蔵庫１の各部の制御も行うものであった。しかしながら、制御部１１０の役割を分担してもよい。すなわち、冷蔵庫１は、複数の制御部として、複数のＣＰＵや複数のマイコンを有するものであってもよい。たとえば、ドライブ回路１００をマイコンによって制御し、当該マイコン自体や他の各部を制御するための中央制御部を冷蔵庫１が有するものであってもよい。
［第３の実施の形態］
【００５３】
第１または第２の実施の形態においては、冷蔵庫１の冷凍サイクル１０の圧縮機３のモータ３Ａのためのドライブ回路１００について説明を行った。しかしながら、冷凍サイクル１０は、冷蔵庫１に利用されるものに限らず、エアーコンディショナーや冷房などの空気調和機に利用されるものであってもよい。
［第４の実施の形態］
【００５４】
第１〜第３の実施の形態においては、冷凍サイクル１０の圧縮機３のモータ３Ａのためのドライブ回路１００について説明を行った。しかしながら、圧縮機３は、冷凍サイクル１０に利用されるものに限らず、他の装置、たとえば、加圧気やアクチュエータなどに利用されるものであってもよい。
［第５の実施の形態］
【００５５】
第１〜第４の実施の形態においては、圧縮機３のモータ３Ａのためのドライブ回路１００について説明を行った。しかしながら、モータ３Ａは、圧縮機３に利用されるものに限らず、洗濯機などの他の家電や、ＡＶ機器や、住宅設備や、自動車などに利用されるものであってもよい。
＜まとめ＞
【００５６】
本実施の形態においては、モータ３Ａの駆動を制御するためのドライブ回路１００が提供される。ドライブ回路１００は、スイッチング素子として第１のＭＯＳ−ＦＥＴ１５１，１５２，１５３を含む上アームと、スイッチング素子として第２のＭＯＳ−ＦＥＴ１５４，１５５，１５６を含む下アームとを備える。前記第２のＭＯＳ−ＦＥＴ１５４，１５５，１５６の少なくともいずれかの定格電流容量が、対応する少なくともいずれかの前記第１のＭＯＳ−ＦＥＴ１５１，１５２，１５３の定格電流容量よりも大きい。
【００５７】
好ましくは、前記第２のＭＯＳ−ＦＥＴ１５４，１５５，１５６の素子の面積が、前記第１のＭＯＳ−ＦＥＴ１５１，１５２，１５３の素子の面積よりも広い。
【００５８】
好ましくは、前記ドライブ回路１００は、前記ドライブ回路１００をＰＷＭ制御するための制御部１１０をさらに備える。前記制御部１１０は、前記下アームのスイッチング素子１５４，１５５，１５６のＰＷＭデューティーが第１の所定値以上である場合に前記下アームのスイッチング素子１５４，１５５，１５６をＯＮ状態で維持し、前記下アームのスイッチング素子１５４，１５５，１５６のＰＷＭデューティーが前記第１の所定値よりも小さい第２の所定値以下である場合に前記下アームのスイッチング素子１５４，１５５，１５６をＯＦＦ状態で維持する。
【００５９】
さらに、上記のドライブ回路１００と、前記ドライブ回路１００によって駆動される前記モータ３Ａを含む圧縮機３とを備える、冷凍サイクル１０が提供される。
【００６０】
さらに、上記の冷凍サイクル１０を備えた家電１が提供される。家電としては、本実施の形態にかかる冷蔵庫１に限らず、モータを含む他の電気機器であってもよい。
【００６１】
今回開示された実施の形態はすべての点で例示であって制限的なものではないと考えられるべきである。本発明の範囲は、上記した説明ではなく、特許請求の範囲によって示され、特許請求の範囲と均等の意味および範囲内でのすべての変更が含まれることが意図される。
【符号の説明】
【００６２】
１        ：家電（冷蔵庫）
３        ：圧縮機
３Ａ      ：モータ
４        ：凝縮器
５        ：減圧器
６        ：蒸発器
７        ：ファン
１０      ：冷凍サイクル
１２      ：庫内温度設定スイッチ
１３      ：庫内温度センサ
１００    ：ドライブ回路
１１０    ：制御部
１２０    ：ダイオード全波整流回路
１３０    ：コンバータ回路
１４０    ：平滑コンデンサ
１５０    ：インバータ回路
１５１    ：第１のスイッチング素子（ＭＯＳ−ＦＥＴ）
１５２    ：第２のスイッチング素子（ＭＯＳ−ＦＥＴ）
１５３    ：第３のスイッチング素子（ＭＯＳ−ＦＥＴ）
１５４    ：第４のスイッチング素子（ＭＯＳ−ＦＥＴ）
１５５    ：第５のスイッチング素子（ＭＯＳ−ＦＥＴ）
１５６    ：第６のスイッチング素子（ＭＯＳ−ＦＥＴ）
１６０    ：交流電源
１６１〜１６６    ：ゲート回路
１７０    ：コイル
１７１〜１７６    ：ダイオード
ＰＬ      ：直流母線
ＮＬ      ：直流母線
Ｎｄ１    ：第１の接続点
Ｎｄ２    ：第２の接続点
Ｎｄ３    ：第３の接続点
【図１】
2017060210.tif 000003
【図２】
2017060210.tif 000004
【図３】
2017060210.tif 000005
【図４】
2017060210.tif 000006
【図５】
2017060210.tif 000007
【図６】
2017060210.tif 000008